(57)【要約】【課題】有機化学物質の漏洩を防止することができる病理検査用作業台、病理検査用システム検査台および検査方法を提案する。【解決手段】シンク２１と、シンク２１の下に設けられた受槽２２と、受槽２２の底面に接続された排水管２３と、受槽２２の側面に接続された排気管２４とを備える病理検査用作業台２である。受槽２２は、液体および気体が流下可能にシンク２１の底面に接続されており、大気より重い気体がシンク２１内から受槽２２に流下するとともに、排気管２４を介して受槽２２から排気される。【選択図】図３
2020031749.tif 000002
【特許請求の範囲】
【請求項１】
シンクと、
前記シンクの下に設けられた受槽と、
前記受槽の底面に接続された排水管と、
前記受槽の側面に接続された排気管と、を備える病理検査用作業台であって、
前記受槽は、液体および気体が流下可能に前記シンクの底面に接続されており、
大気より重い気体が前記シンク内から前記受槽に流下するとともに、前記排気管を介して前記受槽から排気されることを特徴とする、病理検査用作業台。
【請求項２】
用途の異なる複数の作業台が並設された病理検査用システム検査台であって、
前記作業台の上方を覆うフードと、
前記フード内の空間を上空間と下空間とに分割する横板と、
前記作業台の奥側において内壁から隙間をあけて配設された縦板と、を備えており、
前記フードは、前記作業台の奥側において片持ち支持あるいは前記作業台の上方において吊持されており、
複数の前記作業台のうちの少なくとも一つは、シンクと、前記シンクの底面に接続する受槽と、前記受槽に接続する排気管と、を備えていて、
前記作業台の上面と前記横板との間において、前記縦板に排気ガラリが設けられており、
前記排気管は、前記縦板に形成された排気孔に接続されていて、
前記縦板と前記内壁との隙間は、前記上空間に連結されていて、
前記上空間には、排気ダクトが接続されていることを特徴とする病理検査用システム検査台。
【請求項３】
前記作業台の下側の空間に面して、前記縦板に排気口が形成されていることを特徴とする、請求項２に記載の病理検査用システム検査台。
【請求項４】
請求項２または請求項３に記載の病理検査用システム検査台を使用する検査方法であって、
複数の前記作業台のうちの一つの前記作業台において使用した検体を、前記病理検査用システム検査台から取り出すことなく、他の前記作業台に横移動させることで、前記病理検査用システム検査台内からの気体の漏洩を防止することを特徴とする、検査方法。
【発明の詳細な説明】
【技術分野】
【０００１】
本発明は、病理検査用作業台、病理検査用システム検査台および検査方法に関する。
【背景技術】
【０００２】
病理検査室では、手術または検査の目的で採取された臓器、組織、細胞などから顕微鏡標本を作製し、顕微鏡等を用いて詳しい診断を行う。病理検査では、ホルマリン（ホルムアルデヒド水溶液）やキシレン等の有機化学物質を使用している。このような有機化学物質について、特定化学物質障害予防規則では、屋内におけるホルムアルデヒドの管理濃度を０．１ｐｐｍに設定している。
そのため、病理検査用作業台は、有機化学物質の拡散を抑制する機能を備えているのが望ましい。例えば特許文献１には、シンクの手前側から奥側に向けて気体を給気する第一給気手段と、シンクの奥側の上方からシンク手前側に向けて斜めに気体を給気する第二給気手段と、シンクの奥側から排気する排気手段とにより、シンクの上方にエアカーテンを形成して、シンク内の揮発性物質が拡散することを防止する流し台が開示されている。
また、特許文献２には、シンクの側面下部に設けられた吸引口からシンク内の気体を吸引排気することで、シンク内の揮発性物質が拡散することを防止する流し台が開示されている。
【先行技術文献】
【特許文献】
【０００３】
【特許文献１】特開平０８−００１１２４号公報
【特許文献２】特開２０１８−００４１８９号公報
【発明の概要】
【発明が解決しようとする課題】
【０００４】
揮発したホルムアルデヒド等の有機化学物質は、大気よりも重いため、シンク内に滞留しやすい。シンクの側面から排気する場合やエアカーテン等によって遮蔽する場合であっても、有機化学物質が滞留したシンク内で作業を行うと、シンク内の気体が撹拌されることや、シンク内から抜き出した医療従事者等の腕や検体などとともに、シンク内の有機化学物質が外部に漏出するおそれがある。
本発明は、前記の問題点を解決することを目的とするものであり、より確実に有機化学物質の漏洩を防止することができる病理検査用作業台、病理検査用システム検査台および病理検査用システム検査台を利用した検査方法を提案することを課題とする。
【課題を解決するための手段】
【０００５】
請求項１に記載の発明は、シンクと、前記シンクの下に設けられた受槽と、前記受槽の底面に接続された排水管と、前記受槽の側面に接続された排気管とを備える病理検査用作業台である。前記受槽は、液体および気体が流下可能に前記シンクの底面に接続されており、大気より重い気体が前記受槽に流下するとともに、前記排気管を介して前記受槽から排気される。
また、請求項２に記載の発明は、用途の異なる複数の作業台が並設された病理検査用システム検査台である。病理検査用システム検査台は、前記作業台の上方を覆うフードと、前記フード内の空間を上空間と下空間とに分割する横板と、前記作業台の奥側において内壁から隙間をあけて配設された縦板とを備えている。
前記フードは、前記作業台の奥側において片持ち支持あるいは前記作業台の上方において吊持されており、作業台の手前側にフードの支持手段がない。そのため、検査対象を取り出すことなく、作業台から次の作業台に移動させることができる。検体等を取り出すことなく横移動させることで、有機化学物質等の漏洩を防止できる。
また、複数の前記作業台のうちの少なくとも一部は、シンクと、前記シンクの底面に接続する受槽と、前記受槽に接続する排気管とを備えていて、前記作業台の上面と前記仕切り板との間において、前記縦板に排気ガラリが設けられており、前記排気管は、前記縦板に形成された排気孔に接続されていて、前記縦板と前記内壁との隙間は、前記上空間に連結されていて、前記上空間には、排気ダクトが接続されている。そのため、有機化学物質は排気ダクトを介して排気されるため、病理検査室内に有機化学物質が拡散することが防止されている。
また、請求項３の病理検査用システム検査台は、前記作業台の下側の空間に面して、前記縦板に排気口が形成されているため、万が一、作業台の下側に有機化合物質が漏れ出したとしても病理検査室内での拡散を防止することができる。
さらに、請求項４に記載の発明は、請求項２または請求項３に記載の病理検査用システム検査台を使用する検査方法であって、複数の前記作業台のうちの一つの前記作業台において使用した検体を、前記病理検査用システム検査台から取り出すことなく、他の前記作業台に横移動させることで、前記病理検査用システム検査台内からの気体の漏洩を防止する。
【発明の効果】
【０００６】
本発明の病理検査用作業台および病理検査用システム検査台によれば、大気よりも重い気体がシンクの下に設けられた受槽に誘導されるため、シンク内に滞留することがない。そのため、シンク内から有機化学物質が外部に漏洩することを防止できる。また、シンクの下のトラップに溜まっている液体から出る臭気の逆流を防止できる。
また、本発明の病理検査用システム作業台およびこれを利用した検査方法によれば、フードに方立等の支持手段が作業台の手前側に存在しないため、作業台間において検体等を移動させる際に、検体を抜き出す必要がない。そのため、有機化学物質が検体とともに外部に漏洩することを防止できる。
【図面の簡単な説明】
【０００７】
【図１】本実施形態の病理検査室を示す平面図である。
【図２】病理検査用システム検査台の一部を示す斜視図である。
【図３】病理検査用作業台を示す断面図である。
【発明を実施するための形態】
【０００８】
本発明の実施形態では、医療施設の病理検査室Ｒに設けられた病理検査用システム検査台１について説明する。本実施形態の病理検査室Ｒには、図１に示すように、病理検査用システム検査台１が設けられている。病理検査用システム検査台１は、用途の異なる複数の病理検査用作業台２を備えている。本実施形態では、病理検査用システム検査台１を建物の付帯設備として建物と一緒に施工することで、より作業性に優れ、なおかつ、より安全性に優れた病理検査室Ｒを形成する。病理検査用システム検査台１は、病理検査用作業台２同士の間で検体を横移動させることを可能としたプッシュプル方式を採用している。こうすることで、検体に使用されるホルマリンやキシレンなどの有機化学物質が、装置（病理検査用システム検査台１）外に漏出することを防止する。
本実施形態の病理検査用システム検査台１は、病理検査用作業台２として、作業台２ａ、流し台２ｂ、撮影台、切出台、廃液台等を備えている。すなわち、病理検査用システム検査台１は、並設された用途の異なる複数の作業台（病理検査用作業台２）を備えている。また、病理検査用システム検査台１は、パラフィン包理装置や臓器保管庫等も備えている。なお、病理検査用システム検査台１が備える病理検査用作業台２の数や種類、および、その他の設備や装置は限定されるものではない。
【０００９】
病理検査用作業台２の奥側には、図３に示すように、内壁Ｗ（病理検査室Ｒの壁）から隙間をあけて配設された縦板３を備えている。さらに、各病理検査用作業台２の上方は、フード４により覆われている。
フード４は、内壁Ｗによって片持ち支持されている。すなわち、フード４は、病理検査用作業台２の上方奥側から張り出しており、病理検査用作業台２の手前側（内壁Ｗと反対側）には、フード４を支持するための支柱（方立）や支持壁等がフード４の下に設けられていない。なお、フード４は、病理検査用作業台２の上方において天井または梁等により吊持されていてもよい。フード４は、フード本体４１と、フード本体４１の手前側に設けられた昇降サッシ４２とを備えている。
フード本体４１は、内壁Ｗから延びる天板４３と、天板４３の手前側端部から下向きに延びる前板４４と、側面を覆う側板４５（図２参照）とを備えている。すなわち、フード本体４１は、病理検査用作業台２の上側の空間の上面、前面および両側面を覆っている。なお、天板４３は、必要に応じて設ければよい。すなわち、天井との隙間を遮蔽することができれば、天板４３は省略してもよい。また、側板４５は、病理検査用システム検査台１の端部に配設された病理検査用作業台２の上方のフード４以外に対しては、省略してもよい。本実施形態の前板４４は、下に向かうに従って内壁Ｗから離れるように、鉛直面に対して傾斜している。なお、前板４４は、内壁Ｗと平行であってよい。昇降サッシ４２は、前板４４に上下動可能に設けられている。昇降サッシ４２は、前板４４の下端から、前板４４の延長線と平行に、下向きに移動することで、病理検査用作業台２の手前側の開口面積の大きさを調整する。昇降サッシ４２はガラス板を備えており、病理検査用作業台２の上の空間である作業空間Ａ１と、病理検査を行う医療従業者との間に介設される。医療従業者は、昇降サッシ４２を介して作業空間Ａ１内を視認しながら、昇降サッシ４２の下から作業空間Ａ１に手を挿入した状態で作業を行う。昇降サッシ４２は、最も下までおろした状態で、病理検査用作業台２の上面の手前側に接する。なお、昇降サッシ４２は、必ずしも病理検査用作業台２に接する大きさを有している必要はない。また、昇降サッシ４２には、必ずしもガラス板を使用する必要はなく、例えば、透明なアクリル板であってもよい。
【００１０】
フード４には、フード４内の空間（天板４３、前板４４および内壁Ｗに囲まれた空間）を上空間Ａ２と下空間Ａ３とに分割する横板５が設けられている。上空間Ａ２には、排気ダクト（図示省略）が接続されていて、上空間Ａ２内の排気が可能に構成されている。本実施形態では、横板５に給気ユニット６が設けられている。給気ユニット６は、下向きに送風することで、病理検査用作業台２の上の作業空間Ａ１に下向きの気流を形成する。給気ユニット６は、昇降サッシ４２に沿った気流と、直下に向けた気流とに分流するルーバー（図示せず）を備えていてもよい。このようにすれば、昇降サッシ４２に沿った気流によりいわゆるエアカーテンが形成されるため、装置外へ気体が漏洩し難くなる。なお、給気ユニット６は必要に応じて設ければよい。
【００１１】
縦板３は、支持部材（図示せず）を介して内壁Ｗに固定されている。支持部材は、内壁Ｗから所定の間隔をあけた状態で縦板３を支持している。なお、縦板３の支持方法が限定されるものではなく、例えば、床から立設させてもよい。
縦板３と内壁Ｗとの間には、通気可能な空間（通気空間Ａ４）が形成されている。また、縦板３の上端は横板５の下面に当接している。横板５には、内壁Ｗ側に通気孔５１が形成されていて、通気空間Ａ４（縦板３と内壁Ｗとの隙間）が通気孔５１を介して上空間Ａ２に連結されている。通気空間Ａ４から上空間Ａ２に流入した気体は、排気ダクトを介して排気される。
縦板３には、病理検査用作業台２の上面と横板５との間の作業空間Ａ１に面して、排気ガラリ３１が設けられている。排気ガラリ３１により、作業空間Ａ１の排気が可能になる。本実施形態では排気ガラリ３１が上下に２段配設されているが、排気ガラリ３１の数および配置は限定されない。さらに、縦板３には、病理検査用作業台２の下側の空間（台下空間Ａ５）に面して、排気口３３（例えば排気ガラリ等）が形成されている。
【００１２】
本実施形態の病理検査用作業台２は、シンク２１と、シンク２１の下に設けられた受槽２２と、受槽２２の底面に接続されたトラップ２６と、排水管２３と、受槽２２の側面に接続された排気管２４とを備えている。
シンク２１は、水槽状の凹部である。シンク２１の底部には、受槽２２に接続する開口が形成されている。シンク２１の底面に形成された開口には、必要に応じて網等が設けておく。このようにすることで、シンク２１内の液体または気体を受槽２２に流下させつつ、検体等が受槽２２に落下することを防止できる。シンク２１の上面の開口部は、必要応じて作業用の作業用の板材（作業板材２５）を敷設する。作業板材２５は、作業を行うために必要な強度を有しているとともに、多数の孔が貫通している有孔板であるのが望ましい。なお、作業板材２５の材質は限定されるものではなく、例えば、ステンレス製の板材を使用すればよい。
受槽２２は、シンク２１から流下した液体および気体を一時的に受け止める。受槽２２はシンク２１よりも小さな容積を有している。受槽２２には、排気管２４が接続されている。排気管２４は、縦板３に形成された排気孔３２に接続されている。排気管２４は、受槽２２内の気体を、通気空間Ａ４に誘導する。大気より重い気体（気化した有機化学物質等）は、作業空間Ａ１からシンク２１に流下した後、シンク２１内から受槽２２に流下する。受槽２２に流下した気体は、排気管２４を介して受槽２２から通気空間Ａ４に排気された後、上空間Ａ２に誘導されて、排気ダクトを介して排気される。そのため、受槽２２に有機化学物質等が滞留することはない。
受槽２２の底面には、トラップ２６を介して排水管２３が接続されている。排水管２３は、シンク２１から受槽２２を介してトラップ２６に流下した液体を排出する。そのため、受槽２２に有機化学物質等を含む液体が滞留することはない。また、トラップ２６に溜まっている液体から出る臭気は、排気管２４から排出されるため、当該臭気が作業空間Ａ１に流入（逆流）することが防止されている。なお、トラップ２６は、必要に応じて設ければよい。
【００１３】
病理検査用システム作業台を利用した検査の手順の一例を以下に示す。
まず、採取した検体を流し台２ｂで洗浄した後、撮影台において臓器撮影装置を利用して検体を撮影する。次に、切出台で検体を所定の大きさに切出した後、廃液台において脱水・脱脂してアルコールを除去する。その後、パラフィン包理装置によってパラフィンを浸透包理する。次に、切出台にて検体を薄切りにし、作業台２ａにおいて検体を広げてスライドガラス上に密着させて染色する。そして、組織切片を封入剤とカバーグラスで被覆して臓器保管庫に保存する。その後、必要に応じて組織切片を顕微鏡で診断する。
【００１４】
以上、本実施形態の病理検査用システム検査台１によれば、病理検査用作業台２の手前側に、フード４の支持部材がないため、病理検査用作業台２間（病理検査用システム検査台内）での検体の移動が容易である。すなわち、隣り合う病理検査用作業台２の作業空間Ａ１同士が連続しているため、検体を作業空間Ａ１から取り出すことなく、他の病理検査用作業台２へ移動させることができる。そのため、検体を病理検査用システム検査台１の外に出すことなく移動させて、検査を完結することができる。検体を装置外に持ち出さなければ、有機化学物質や臭気が検体とともに装置外に漏洩することを防止することができる。
フード４を内壁Ｗの固定する等、建物の施工時に病理検査用システム検査台１の設置も行うため、建物の施工後に病理検査用作業台２を設置する場合に比べて施工が容易である。また、各設備の配置の自由度も高い。
【００１５】
給気ユニット６により下向きの気流が形成されているため、作業空間Ａ１内の気体はシンク２１を介して受槽２２へと誘導させる。受槽２２に流入した気体は、排気管２４を介して縦板３の背面側の通気空間Ａ４に導かれた後、上空間Ａ２に流れて排気ダクトから排気される。そのため、気化した有機化学物質が装置外（病理検査室Ｒ内）に漏洩し難い。また、大気よりも重い気体は、シンク２１を介して受槽２２へと流下するため、作業空間Ａ１およびシンク２１に有機物質が滞留することがない。そのため、病理検査用作業台２において作業を行った際に、有機化学物質が装置外へ漏洩し難い。
【００１６】
シンク２１から受槽２２に流下した気体は、排気管２４を介して排気されるため、受槽２２側から作業空間Ａ１方向に気体が逆流することがない。また、受槽２２に流下した液体は、排水管２３を介して排水されるため、液体が受槽２２内に滞留することがなく、受槽２２内において有機化学物質が気化して作業空間Ａ１側に漏洩することもない。
縦板３に排気ガラリ３１が形成されているため、作業空間Ａ１に気体が滞留することが防止されている。すなわち、作業空間Ａ１の気体は、シンク２１に流下するか、排気ガラリ３１から排気されるため、滞留することがない。作業空間Ａ１に気体が滞留しないため、装置外に有機化学物質を含有する気体が漏洩することを防止することができる。
縦板３には、台下空間Ａ５に面して排気口３３が形成されているため、作業空間Ａ１から台下空間Ａ５に気体が漏出したとしても、排気口３３から排気される。
通気空間Ａ４は上空間Ａ２を介して排気ダクトに接続されているため、通気空間Ａ４内には上空間Ａ２に向かう気流が形成されている。そのため、通気空間Ａ４に流入した気体は、滞留することなく排気させる。
【００１７】
以上、本発明に係る実施形態について説明したが、本発明は前述の実施形態に限られず、前記の各構成要素については本発明の趣旨を逸脱しない範囲で適宜変更が可能である。
病理検査用作業台２は、必要に応じて配置換えを行ってもよい。
各病理検査用作業台２は、病理検査室Ｒの内壁Ｗや床に固定されていてもよい。
【符号の説明】
【００１８】
１    病理検査用システム検査台
２    病理検査用作業台
２１  シンク
２２  受槽
２３  排水管
２４  排気管
３    縦板
３１  排気ガラリ
３２  排気孔
３３  排気口
４    フード
５    横板
５１  通気孔
Ａ１  作業空間
Ａ２  上空間
Ａ３  下空間
Ａ４  通気空間
Ａ５  台下空間
Ｒ    病理検査室
Ｗ    内壁
【図１】
2020031749.tif 000003
【図２】
2020031749.tif 000004
【図３】
2020031749.tif 000005